(57)【要約】【課題】本発明は、隠蔽層上又は籤券の全面にフルカラー印刷による柄層を設けることで隠蔽層の再構築が困難となり、偽造防止、改ざん防止効果を向上させることを目的としたフルカラースクラッチオフ籤券を提供することにある。【解決手段】スクラッチオフ籤券の抽選部領域１７を被覆する隠蔽層１３上又は籤券の全面に、フルカラー印刷層１４を設けたフルカラースクラッチオフ籤券であり、このフルカラー印刷層１４が、特色インキを用いた多色ベタ印刷で構成し、このフルカラー印刷層１４を籤券の絵柄層１６と同調させて設けた、もしくは、印刷基材の片面でしかも抽選部に対応する裏面側に光不透過の遮蔽層を設けた、フルカラースクラッチオフ籤券である。【選択図】図１
2004314645.tif 000002
【特許請求の範囲】
【請求項１】
紙、樹脂シート等からなる印刷基材の所定の領域に、当たり、ハズレ等を表示する文字、番号、パターン等による抽選パターンと、該抽選パターンを覆うように透明樹脂層と剥離容易な隠蔽層とを順に積層してなるスクラッチオフ籤券において、
特色インキによる多色ベタ印刷で構成されているフルカラー印刷層を前記隠蔽層上に設けたことを特徴とするフルカラースクラッチオフ籤券。
【請求項２】
紙、樹脂シート等からなる印刷基材の所定の領域に、当たり、ハズレ等を表示する文字、番号、パターン等による抽選パターンと、該抽選パターンを覆うように透明樹脂層を設けたスクラッチオフ籤券において、
前記透明樹脂層上に、隠蔽性を有し、かつ剥離容易な特色インキによる多色ベタ印刷で構成されているフルカラー印刷層を設けたことを特徴とするフルカラースクラッチオフ籤券。
【請求項３】
紙、樹脂シート等からなる印刷基材の所定の領域に、当たり、ハズレ等を表示する文字、番号、パターン等による抽選パターンと、該抽選パターンを覆うように透明樹脂層と剥離容易な隠蔽層とを順に積層してなるスクラッチオフ籤券において、
前記隠蔽層上にフルカラー印刷層を設けてあって、前記印刷基材の片面でしかも抽選部に対応する裏面側に光不透過の遮蔽層を設けたことを特徴とするフルカラースクラッチオフ籤券。
【請求項４】
紙、樹脂シート等からなる印刷基材の所定の領域に、当たり、ハズレ等を表示する文字、番号、パターン等による抽選パターンと、該抽選パターンを覆うように透明樹脂層を設けたスクラッチオフ籤券において、
前記透明樹脂層上に、隠蔽性を有し、かつ剥離容易なインキによりフルカラー印刷層を設けてあって、前記印刷基材の片面でしかも抽選部に対応する裏面側に光不透過の遮蔽層を設けたことを特徴とするフルカラースクラッチオフ籤券。
【請求項５】
前記フルカラー印刷層が、籤券の全面に設けられていることを特徴とする請求項１から４のいずれかに記載のフルカラースクラッチオフ籤券。
【請求項６】
前記フルカラー印刷層が、網点によるプロセスカラー印刷で構成されていることを特徴とする請求項３、４又は請求項５のいずれかに記載のフルカラースクラッチオフ籤券。
【発明の詳細な説明】
【技術分野】
【０００１】
本発明は、スクラッチオフ籤券に関し、詳しくは、スクラッチオフ部分をフルカラー化することにより、剥離後の隠蔽層の再構築を防止することができ、しかも偽造防止、改ざん防止効果が向上するフルカラースクラッチオフ籤券に関するものである。
【背景技術】
【０００２】
従来より、有価証券の番号、文字、パターン等の抽選パターンにより当たり、ハズレを決定するようにした抽選券、入場券、ゲーム券等の籤券が実用化されている。
【０００３】
例えば、図４に示すように、基材２１上に当たり、ハズレを表示する文字、番号、パターン等による抽選パターン２５を設け、この抽選パターンを被覆するように透明な樹脂層２２と、樹脂層２３周囲の券面にはプロセスインキによる絵柄層２６を設け、この樹脂層上に抽選パターンが見えないように金属粉等を混合したインキを用いて印刷による隠蔽層２３を設けた籤券が知られている。この籤券の利用者は、隠蔽層２３を削り取り、抽選パターン２５の内容により当たり券か、ハズレ券かを確認する、通称スクラッチオフ籤券が実用化されている。
【０００４】
しかしながら、これらの番号や文字、パターン等の印刷層を貼り変えたり、修正してハズレ券を当たり券に改ざんする所謂、偽造、改ざんが発生していた。そのため、これらの有価証券には地紋、細紋等の偽造防止印刷を施したり、特殊インキによる印刷で偽造防止が図られていた。しかしこれらの偽造防止効果及び真偽確認のための容易性等の点で必ずしも満足するものではなかった。
【０００５】
そこで、本願出願人等は、金属箔を中間層としその両側に紙を貼り合わせ、片側の紙面上に所望の印刷を施すと共に、この印刷の一部を有色顔料と蛍光染料を含むインキで印刷し、この蛍光染料を含むインキによる印刷部上に透明ニスからなるオーバーコート層を設けた券類であって、上記蛍光染料が、印刷部から上記オーバーコート層、紙層の厚み方向で金属箔に達する範囲内に拡散し、例えば、数字を改ざんしても基の数字の形状に蛍光染料が残っているので、発光用光線を照射することにより重複して見えることで改ざんの可否が容易に判定できる、偽造防止策を施した券類が実公平５−３９９０７号公報により開示され、実用化されている。
【０００６】
特許文献は以下の通り。
【特許文献１】実公平５−３９９０７号公報
【発明の開示】
【発明が解決しようとする課題】
【０００７】
しかしながら、現状のスクラッチオフ籤券については、抽選部領域をアルミ等の金属粉を混練したゴム系インキ（例えば、銀インキ等）による隠蔽層上に、１〜２色のプロセスインキによる単純な柄印刷を施しているに過ぎず、従って、この隠蔽層をスクラッチオフ（削り取る）することで下層の抽選パターンを確認した後に、この隠蔽層部分が再構築される危険性があった。また、隠蔽層部分はアルミ等の金属粉等を混練したゴム系の銀インキを使用しているためデザイン的な制約を受け、隠蔽層以外の籤券の絵柄層部分と同様のデザインは構築できなかった（隠蔽層は銀色で、他の絵柄は多色で印刷されているため隠蔽層部分だけデザイン的に陳腐なものとなっている）。そこで本発明は、上記の問題に鑑みなされたもので、この隠蔽層上又は籤券全面にフルカラー印刷による絵柄層を設けるこ
とで隠蔽層の再構築が困難となり、偽造防止、改ざん防止効果を向上させることを目的としたフルカラースクラッチオフ籤券を提供することにある。
【課題を解決するための手段】
【０００８】
本発明に於いて上記目的を達成するために、まず請求項１の発明は、紙、樹脂シート等からなる印刷基材の所定の領域に、当たり、ハズレ等を表示する文字、番号、パターン等による抽選パターンと、該抽選パターンを覆うように透明樹脂層と剥離容易な隠蔽層とを順に積層してなるスクラッチオフ籤券において、特色インキによる多色ベタ印刷で構成されているフルカラー印刷層を前記隠蔽層上に設けたことを特徴とするフルカラースクラッチオフ籤券である。
【０００９】
また、請求項２の発明は、紙、樹脂シート等からなる印刷基材の所定の領域に、当たり、ハズレ等を表示する文字、番号、パターン等による抽選パターンと、該抽選パターンを覆うように透明樹脂層を設けたスクラッチオフ籤券において、前記透明樹脂層上に、隠蔽性を有し、かつ剥離容易な特色インキによる多色ベタ印刷で構成されているフルカラー印刷層を設けたことを特徴とするフルカラースクラッチオフ籤券である。
【００１０】
また、請求項３の発明は、紙、樹脂シート等からなる印刷基材の所定の領域に、当たり、ハズレ等を表示する文字、番号、パターン等による抽選パターンと、該抽選パターンを覆うように透明樹脂層と剥離容易な隠蔽層とを順に積層してなるスクラッチオフ籤券において、前記隠蔽層上にフルカラー印刷層を設けてあって、前記印刷基材の片面でしかも抽選部に対応する裏面側に光不透過の遮蔽層を設けたことを特徴とするフルカラースクラッチオフ籤券である。
【００１１】
また、請求項４の発明は、紙、樹脂シート等からなる印刷基材の所定の領域に、当たり、ハズレ等を表示する文字、番号、パターン等による抽選パターンと、該抽選パターンを覆うように透明樹脂層を設けたスクラッチオフ籤券において、前記透明樹脂層上に、隠蔽性を有し、かつ剥離容易なインキによりフルカラー印刷層を設けてあって、前記印刷基材の片面でしかも抽選部に対応する裏面側に光不透過の遮蔽層を設けたことを特徴とするフルカラースクラッチオフ籤券である。
【００１２】
また、請求項５の発明は、前記フルカラー印刷層が、籤券の全面に設けられていることを特徴とする請求項１から４のいずれかに記載のフルカラースクラッチオフ籤券である。
【００１３】
また、請求項６の発明は、前記フルカラー印刷層が、網点によるプロセスカラー印刷で構成されていることを特徴とする請求項３、４又は請求項５のいずれかに記載のフルカラースクラッチオフ籤券である。
【発明の効果】
【００１４】
本発明のフルカラースクラッチオフ籤券は、籤券の隠蔽層上にスクラッチ（剥離）適性に支障のないインキにより多色印刷を施したもので、オフセット印刷、スクリーン印刷、フレキソ印刷等の印刷方式により多色ベタ印刷によるカラー印刷を施すか、網点印刷によるフルカラー印刷を施すことで、隠蔽層以外の絵柄部分と同様の色調、体裁を再現し、隠蔽部分と他の部分を視覚的にボーダレスにする。これにより、隠蔽部分がデザイン的に全面一体化し、幅広い印刷用途に応えられる。また、一度剥離した隠蔽部分を再構築しようとしたり、同様の印刷を再現しようとした場合、フルカラー印刷インキとの色調を合わさなければならない、また隠蔽部分との境界部分のボーダレスを再現しなければならない等、印刷構成が非常に難しくなるため、偽造防止、改ざん防止等の悪用は不可能となる。
【発明を実施するための最良の形態】
【００１５】
本発明は、スクラッチオフ籤券の抽選部領域を被覆する隠蔽層上又は籤券全面に、フルカラー印刷層を設けたフルカラースクラッチオフ籤券であり、このフルカラー印刷層が、特色インキを用いた多色ベタ印刷で構成し、籤券の絵柄層と同調させて設けたことを特徴とするフルカラースクラッチオフ籤券、もしくは、印刷基材の片面でしかも抽選部に対応する裏面側に光不透過の遮蔽層を設けた、フルカラースクラッチオフ籤券である。
【００１６】
さらに、図に基づき実施の形態を説明する。図１は、本発明の一実施例におけるフルカラースクラッチオフ籤券を断面で表した説明図であり、図２は、本発明の他の実施例におけるフルカラースクラッチオフ籤券を示すもので、（Ａ）は籤券全面にフルカラー印刷層を設けた断面図であり、（Ｂ）はフルカラー印刷層の一例を示す平面図である。
【００１７】
図１に示すように、本発明のフルカラースクラッチオフ籤券は、紙、樹脂シート等の印刷基材１１片面の所定領域に、当たり、ハズレ等を表示する文字、番号、パターン等による抽選パターン１５を設け、この抽選パターン１５上を透明樹脂層１２により被覆し抽選パターン１５を保護する抽選部領域１７を構成したものである。さらに、この透明樹脂層１２上からアルミ等の金属粉を混練したゴム系銀インキにより剥離容易な隠蔽層１３を設け、この上にパターン、文字等の多色ベタ印刷によるフルカラー印刷層１４、或いは網点でプロセスカラー印刷によるフルカラー印刷層１４を設けたスクラッチオフ籤券である。なお、網点によるフルカラー印刷層１４は、抽選部領域１７以外の籤券の絵柄層１６と連続するように絵柄を同調させることが好ましい。
【００１８】
また、フルカラー印刷層１４に用いる印刷インキは、隠蔽層と同様にゴム系のカラーインキとする。すなわち、通常のプロセスインキによる柄印刷を施すと、隠蔽層の表面が固くなり、スクラッチオフ（剥離）が難しくなるのでゴム系のカラーインキとすることが好ましい。
【００１９】
また、図２（Ａ）は、籤券の全面にベタ印刷によるフルカラー印刷層１４を設けた説明図である。この場合は抽選部領域１７以外の籤券の絵柄層１６上を含めて連続したパターン、文字等の多色ベタ印刷によるフルカラー印刷層１４を設けたものである。すなわち、図２（Ｂ）の平面図に示すように、籤券の全面に多色ベタ印刷によるフルカラー印刷層１４を設けたものである。なお、抽選部領域１７以外の絵柄層１６は設けなくとも、パターン、文字等のフルカラー印刷を施すことで、万一、隠蔽層１３が剥離された場合においても、フルカラー印刷層１４があるため隠蔽層の再構築が難しい。
【００２０】
また、網点によるプロセスカラー印刷のフルカラー印刷層１４は、籤券における絵柄層１６の印刷を施さずに、この部分を含めて連続した網点によるフルカラー印刷層を一回で設けることができる。従って、この場合においても、万一、隠蔽層１３が剥離された場合においても、網点によるフルカラー印刷層１４があるため隠蔽層の再構築が難しくなる。なお、籤券全面にフルカラー印刷層１４を設ける場合も、前記同様にゴム系のカラーインキとすることがよい。
【００２１】
図３は、本発明の他の実施例におけるフルカラースクラッチオフ籤券を示すもので、印刷基材１１上の所定の領域に、抽選パターン１５と、この抽選パターンを被覆するように透明樹脂層１２で保護して抽選部領域１７を設ける。さらに、この籤券の全面にフルカラー印刷層１４を設けたものである。すなわち、このスクラッチオフ籤券は、抽選部領域を隠す従来の隠蔽層を設けずに、隠蔽層を兼ねたベタ、或いは網点によるフルカラー印刷層１４を設けたものである。インキは前記同様にゴム系のカラーインキを用いるが、隠蔽性を必要とするため、印刷方法はインキを厚く盛ることができ、しかもフルカラー印刷を可能としたフレキソ印刷方法が好ましい。
【００２２】
なお、図示はしないが、スクラッチオフ籤券の場合、印刷基材の片面で、しかも抽選部に対応する裏面側に、光不透過の遮蔽層を設けると良い。この遮蔽層は、カーボンブラックを主体とするインキによりベタ印刷を施すか、より効果的な金属蒸着層或いは金属箔を用いることができる。これにより、当たり、ハズレを決める抽選パターンの裏面側よりの識別を妨げることができるので、この遮蔽層を設けることが好ましい。
【図面の簡単な説明】
【００２３】
【図１】本発明の一実施例を示す、フルカラースクラッチオフ籤券を断面で表した説明図である。
【図２】本発明の他の実施例におけるフルカラースクラッチオフ籤券を示すもので、（Ａ）は籤券全面にフルカラー印刷層を設けた断面図であり、（Ｂ）はフルカラー印刷層の一例を示す平面図である。
【図３】本発明の他の実施例におけるフルカラースクラッチオフ籤券の断面で表した説明図である。
【図４】従来におけるスクラッチオフ籤券の一例を示す説明図である。
【符号の説明】
【００２４】
１１，２１……印刷基材
１２，２２……透明樹脂層
１３，２３……隠蔽層
１４      ……フルカラー印刷層
１５，２５……抽選パターン
１６，２６……籤券の絵柄層
１７      ……抽選部領域
【図１】
2004314645.tif 000003
【図２】
2004314645.tif 000004
【図３】
2004314645.tif 000005
【図４】
2004314645.tif 000006